(57)【要約】【課題】開閉体駆動装置をコンパクトに構成することができ、電源アダプター、制御ユニットの着脱が容易に行える開閉体駆動装置の構造を提供する。【解決手段】カバーが脱着自在に取付けられる上枠３と、上枠３内に設けられる内枠と、内枠内に設けられ開閉体７の開閉を案内するガイドレール１３と、ガイドレール１３に移動自在に設けられ開閉体７をガイドレール１３に吊下げ支持する吊下部材１８とを具備した開閉体駆動装置１の構造であって、ガイドレール１３と、戸先４ａの当る縦枠５ａとの間に間隙３０を形成し、この間隙３０に電源アダプター３１を装着する。また、内枠に、取付け用貫通穴を形成し、ガイドレール１３の下端と開閉体７の上端との間隔より小さい高さに形成した制御ユニット３２を、この取付け用貫通穴を貫通させて、内枠と吊下部材１８との間の空間に突出して配置した。【選択図】　　　図２
2004143767.tif 000002
【特許請求の範囲】
【請求項１】
開口部の左右縦枠に掛け渡され内部を表出可能にしたカバーが設けられる上枠と、該上枠内に設けられる内枠と、該内枠内に設けられ開閉体の開閉を案内するガイドレールと、該ガイドレールに移動自在に設けられ前記開閉体を該ガイドレールに吊下げ支持する吊下部材とを具備し、前記開閉体と前記ガイドレールとの間にリニアモータを構成する磁石とコイルとを対向配置させた開閉体駆動装置の構造であって、
前記ガイドレールと、戸先の当る縦枠との間に間隙を形成し、該間隙に電源アダプターを装着し、
前記内枠に、取付け用貫通穴を形成し、前記ガイドレールの下端と前記開閉体の上端との間隔より小さい高さに形成した制御ユニットを、該取付け用貫通穴を貫通させて前記内枠と前記吊下部材との間の空間に突出して配置したことを特徴とする開閉体駆動装置の構造。
【請求項２】
請求項１記載の開閉体駆動装置の構造において、
前記上枠内の内壁面に、前記電源アダプターに弾接するクリップを固着し、前記電源アダプターを該クリップによって脱着自在に保持したことを特徴とする開閉体駆動装置の構造。
【発明の詳細な説明】
【０００１】
【発明の属する技術分野】
本発明は、開口部の上枠内に設けたガイドレールに開閉体を移動自在に吊下げ支持し、開閉体とガイドレールとの間にリニアモータを構成する磁石とコイルとを対向配置させた開閉体駆動装置の構造に関する。
【０００２】
【従来の技術】
建物の開口部に設けられる引戸などの開閉体には、開口部の上枠にガイドレールを設け、このガイドレールに対して引戸本体が吊下状態とされる上吊方式のものがある。この上吊方式の引戸は、床面にレールを敷設せずに構成でき、段差がなく、車椅子やストレッチャーなどの通過をスムーズに行え、病院施設や社会福祉施設、教育施設さらに近年では一般住居などに設けられている。
【０００３】
このような上吊方式の引戸としては、手で開閉を行う手動タイプ、閉鎖時のみ自動となる半自動タイプ、開閉の両方を自動で行う全自動タイプがある。これらのうち特に全自動タイプは、その開閉駆動を行う駆動機構として、引戸の開閉移動がスムーズに行え、複雑な機構を設けずに簡素な構成で実現でき、しかも、騒音の発生が少ないリニアモータを用いた開閉体駆動装置が採用されるようになってきている。
【０００４】
このリニアモータを用いた開閉体駆動装置は、引戸本体の上縁に可動子である磁石が配設される一方、開口部上枠に固定子であるコイルが配設され、コイルヘの通電を制御することで、磁石側である引戸が開閉移動される。
この出願の発明に関連する先行技術文献情報としては次のものがある。
【０００５】
【特許文献１】
特開２００１−２２７２４０号公報
【０００６】
上記特許文献１に開示される建具の開閉装置を図８，図９を参照して説明する。図８は従来の開閉装置要部の概略斜視図、図９は図８の要部の拡大断面図である。
鴨居１０１の溝１０２に嵌まる建具１１１の上端面には、上面が開口する固定子ケース１１２が略全長に亘って配設されている。固定子ケース１１２は、両側の対向壁１１３に沿って、厚み方向に着磁された複数の永久磁石１１４が固定子ケース１１２の全長に亘って配置される。各永久磁石１１４は隣り合うもの同士及び向かい合うもの同士で極性を互いに異ならせて配列され、コイル可動型リニアモータＬの固定子（永久磁石ブロック）１１５を構成している。鴨居１０１の溝１０２の長手方向の略中央にコイル可動型リニアモータＬの可動子ユニット（コイルブロック）１０３が固定されている。可動子ユニット１０３は、鉄芯入りのコイル１０４を複数個長手方向に縦列させたもので、各コイル１０４は磁気センサ１０５により検出される上記永久磁石１１４との相対位置に基づいて、制御部であるコントローラ１０６により同一方向に推力が発生するように通電方向が切換えられる。コントローラ１０６は、鴨居１０１の上面に取付けられ、開口部上方の垂壁内に納められる。
【０００７】
上記建具１１１を鴨居１０１の溝１０２内に嵌めると、固定子ケース１１２内で対向する永久磁石１１４間に、可動子ユニット１０３が位置する。図示しない開開スイッチを操作すると、コントローラ１０６が磁気センサ１０５の検出するコイル１０４と永久磁石１１４との相対位置に基づいて、可動子ユニット１０３の各コイル１０４への通電方向をタイミングよく切換え各コイル１０４の鉄芯に、永久磁石１１４の極性に対して吸引・反発の極性をもたせることで、所定方向の力を可動子ユニット１０３と固定子１１５間に作用させる。可動子ユニット１０３が鴨居１０１の構１０２に固定され、固定子１１５が建具１１１の上端面に配設されているため、相対的に建具１１１が開開される。
【０００８】
上記した建具の開閉装置は、鴨居１０１の溝１０２内において、鴨居１０１と建具１１１間にコイル可動型リニアモータＬを構成する固定１１５と可動子ユニット１０３を組み込んでドアエンジンとするもので、固定子１１５に対して相対移助可能な可動子ユニット１０３を鴨居１０１の溝１０２内に固定したから、可動子ユニット１０３への給電構造が簡単になり、構成がコンパクトで鴨居内に容易に組み込むことができた。
【０００９】
【発明が解決しようとする課題】
しかしながら、従来の建具の開閉装置（開閉体駆動装置）の構造は、コントローラ１０６が図８，図９に示すように、鴨居の外部である上面に取付けられていたり、或いはその他の従来例としては、コントローラに電源を供給する電源アダプターが鴨居の外部である上面に取付けられる一方、コントローラが可動子ユニット部分に内蔵されたりしていて、開閉体駆動装置のコンパクト化の障害となっていた。また、電源アダプター等が鴨居の外部である上面に取付けられている場合、垂壁内に収容されることとなり、着脱が困難となって施工性が悪く、施工後のメンテナンス時には、垂壁を壊さなければならない場合もあった。
【００１０】
本発明は上記状況に鑑みてなされたもので、鴨居等の上枠内の空間を効率的に利用して、電源アダプター及び制御ユニットを収容することができ、開閉体駆動装置をコンパクトに構成することができるとともに、これらの着脱が容易に行える開閉体駆動装置の構造を提供し、施工性、メンテナンス性の向上を図ることを目的とする。
【００１１】
【課題を解決するための手段】
次に、上記の課題を解決するための手段を、実施の形態に対応する図面を参照して説明する。
この発明の請求項１記載の開閉体駆動装置１の構造は、開口部２の左右縦枠５ａ，５ｂに掛け渡され内部を表出可能にしたカバー１１が設けられる上枠３と、該上枠３内に設けられる内枠１２と、該内枠１２内に設けられ開閉体７の開閉を案内するガイドレール１３と、該ガイドレール１３に移動自在に設けられ前記開閉体７を該ガイドレール１３に吊下げ支持する吊下部材１８とを具備し、前記開閉体７と前記ガイドレール１３との間にリニアモータを構成する磁石２１とコイル１５とを対向配置させた開閉体駆動装置１の構造であって、
前記ガイドレール１３と、戸先４ａの当る縦枠５ａとの間に間隙３０を形成し、該間隙３０に電源アダプター３１を装着し、
前記内枠１２に、取付け用貫通穴３５を形成し、前記ガイドレール１３の下端と前記開閉体７の上端との間隔より小さい高さに形成した制御ユニット３２を、該取付け用貫通穴３５を貫通させて前記内枠１２と前記吊下部材１８との間の空間３９に突出して配置したことを特徴とする。
【００１２】
この開閉体駆動装置１の構造では、ガイドレール１３と、戸先４ａの当る縦枠５ａとの間に間隙３０が形成され、この間隙３０に電源アダプター３１が装着される。また、内枠１２に、取付け用貫通穴３５が形成され、ガイドレール１３の下端と開閉体７の上端との間隔より小さい高さに形成した制御ユニット３２が、取付け用貫通穴３５を貫通して内枠１２と吊下部材１８との間の空間３９に突出して配置される。これにより、配設の不要となるガイドレール１３の端部が電源アダプター３１の収容のための間隙３０として有効に利用されるとともに、比較的部品の配設密度の低い内枠１２と吊下部材１８との間の空間が有効に利用され、上枠内空間の効率的な利用が可能となる。この結果、電源アダプター３１及び制御ユニット３２が上枠内に収容できて、開閉体駆動装置１のコンパクト化が可能となる。そして、カバー１１を外す或いは開けるのみで、電源アダプター３１及び制御ユニット３２が表出するので、着脱が容易に行えるようになり、施工性、メンテナンス性も高まる。
【００１３】
請求項２記載の開閉体駆動装置の構造は、請求項１記載の開閉体駆動装置の構造において、
前記上枠３内の内壁面３ａに、前記電源アダプター３１に弾接するクリップ３３を固着し、前記電源アダプター３１を該クリップ３３によって脱着自在に保持したことを特徴とする。
【００１４】
この開閉体駆動装置の構造では、上枠３内の内壁面３ａに、電源アダプター３１に弾接するクリップ３３が固着され、電源アダプター３１がこのクリップ３３によって脱着自在に保持され、工具やビス等の固定手段を使用せずに電源アダプター３１の着脱がワンタッチで可能となる。これにより、施工性、メンテナンス性がさらに高まる。
【００１５】
【発明の実施の形態】
以下、本発明に係る開閉体駆動装置の構造の好適な実施の形態を図面を参照して詳細に説明する。
図１は本発明による開閉体駆動装置の構造を備えた引戸を表す概略斜視図である。
【００１６】
図ｌに示すように、建物の開口部２には、左右側縁２ｂに縦枠５ａ，５ｂがそれぞれ配設されるとともに、開口部２の上緑２ａに左右縦枠５ａ，５ｂに掛け渡されるように上枠３が固定される。この上枠３内には、引戸７の開閉を案内するガイドレール１３が配設される。
【００１７】
引戸７は、ガイドレール１３に対して吊り下げられ、このガイドレール１３に沿って開口部２の幅方向（図１中矢印方向）に水平移動する。この移動により、戸先４ａが開口部２の一方の縦枠５ａに当接して閉鎖状態となり、戸尻４ｂが他方の縦枠５ｂに当接して開放状態となる（図１参照）。
【００１８】
図２は本発明による開閉体駆動装置の構造を表す正面図である。
ガイドレール１３は、上枠３内において、上枠３の延在長とほぼ同じ長さに延在して設けられているが、縦枠５ａとの間に、間隙３０を形成している。この間隙３０には、後に詳述する構造によって取付けられた整流器である電源アダプター３１が装着されている。電源アダプター３１は、開閉体駆動装置１へ電源を供給する。また、上枠３内において、電源アダプター３１の近傍の上枠３内には、後に詳述する構造によって取付けられた制御ユニット３２が装着されている。なお、図２中、１８は引戸７をガイドレール１３に吊下げ支持する吊下部材、２２は吊下部材１８に引戸７を連結するブラケットを示す。
【００１９】
図３は図２のＡ部断面図、図４は図２のＢ部断面図、図５は図２のＣ部断面図を表す。
ここで、本発明による構造の説明に先立ち、開閉体駆動装置１について説明する。図４，図５に示すように、開口部２の上縁に配置固定される上枠３は、建物の開口上縁２ａにネジなどの固定手段にて固定され開口部２の幅方向にわたって長尺で断面略逆Ｌ字状に形成される基枠１０と、この基枠１０に固定され、ガイドレール１３が固定され断面略逆Ｌ字状に形成される内枠１２とを備えるとともに、例えば屋内や室内に面して正面となり基枠１０の一端に対して吊下状態に取り付けられるとともに脱着が可能に取り付けられる略平板状のカバー１１を備え、下面が開放した略コ字状に形成されている。なお、この上枠３は、好ましくは鋼板より構成される。
【００２０】
内枠１２には、ガイドレール１３が固定される。このガイドレール１３は、下面が開口した略コ字状に形成されるとともに、上枠３に沿って長尺に形成される。このガイドレール１３は非磁性材質となるようにアルミ型材とされる。
【００２１】
このガイドレール１３の垂直な両側板１３ｃの対向する内面における上部水平板１３ｄ近傍には、ガイドレール本体の長手方向に沿う凹溝１３ａが互いに対向するようそれぞれ形成されている
【００２２】
また、このガイドレール１３の両側板１３ｃの各下縁は、ガイドレール１３の内方にそれぞれ屈曲形成され、各先端縁がそれぞれ支持縁部１３ｂを構成している。これら支持縁部１３ｂは先端が断面略蒲鉾状に形成され、後述する引戸７に設けられるローラ１６が転動する。
【００２３】
さらに、このガイドレール１３の一方の側板１３ｃには、支持縁部１３ｂよりさらに下方に延出する固定縁部１３ｅが、側板１３ｃの外側面と面一となって形成される。この固定縁部１３ｅは、ガイドレール１３を内枠１２に取り付ける際に、内枠１２側面に対してネジなどの固定手段９が貫通し螺着固定される。
【００２４】
次に、引戸７は、図４に示すように、引戸本体４と吊下部材１８とで構成される。引戸本体４は、戸先４ａに、垂直なパイプ状の把手６、若しくは堀込み状の引手部材などが設けられる。また、この引戸本体４の上縁には、吊下部材１８と連結されるブラケット２２が複数設けられる。このブラケット２２は、引戸本体４の幅長に応じて、少なくとも左右側端縁近傍の２箇所に配設され、それぞれ、垂直な固定片２２ａを有している。
【００２５】
なお、図２に示すように、本実施の形態の引戸７は、引戸本体４が表出された片引きの構成であるが、図示しない戸袋に引戸を収納する構成や、引き分けする構成のものもある。
【００２６】
また、図示しないが、引戸本体４の戸先４ａ側の板面や開口部２近傍の壁面に、シートスイッチなどが設けられたり、引戸７の近傍、例えば天井部分などに光学式などの人体検知センサが設けられ、引戸７の開閉駆動の開始及び停止などが行われる。
【００２７】
吊下部材１８は、本実施の形態では、ガイドレール１３と同様に非磁性材質となるアルミ型材よりなり、上枠３に沿った長尺な部材とされる。この吊下部材１８は、図４に示すように、略Ｔ字状に形成されており、上半部がガイドレール１３の内部に位置し、下半部がガイトレール１３開口より鉛直方向に延出するように配置される。
【００２８】
吊下部材１８の下半部は、板面に直交して貫通穴が穿設される。この貫通穴は、少なくとも吊下部材１８の長手方向の両端近傍に設けられ、上記した引戸本体４のブラケット２２の配置位置に対応する。そして、これら貫通穴には、ブラケット２２の固定片２２ａを介してボルト２３が貫通されて螺着固定され、引戸本体４と吊下部材１８とを連結し、この吊下部材１８の下方に引戸本体４が吊下状態となって連結固定される。
【００２９】
吊下部材１８の上半部には、板面を貫通して複数の回転軸１７が水平に配設される。これら回転軸１７の両先端には、周面が凹溝形状とされたローラ１６がそれぞれ配設される。そして、これらローラ１６が、ガイドレール１３の支持縁部１３ｂを転動し、このガイドレール１３に沿って移動自在となる。
【００３０】
また、吊下部材１８の上端の水平面には、開口幅よりも奥方の幅長が広く形成される所謂蟻溝状の保持溝１９が、吊下部材１８の長手方向に連続して形成されている。また、この保持溝１９には、溝底部に略逆Ω状に連通して断面管状となる固定用孔部２４が、保持溝１９に沿って形成される。
【００３１】
次に、上記ガイドレール１３に対し引戸７を開閉する開閉体駆動装置としてのリニアモータは、可動子と、固定子と、制御ユニットとで大略構成される。本実施の形態では、ガイドレール１３に設けられる固定子をコイル１５とし、引戸７に設けられる可動子を磁石２１として構成する。
【００３２】
固定子であるコイル１５は、複数のコイルで構成されるコイル列であり、長尺な短冊板状に形成されるベーク板等の取付板としての固定基板１４に直列して配設されている。
【００３３】
そして、このコイル１５は、予め固定基板１４に配列固定され、固定基板１４の長尺な両側縁１４ａがガイドレール１３内の対向する各凹溝１３ａに嵌入され、固定基板１４がガイドレール１３の上部水平板１３ｄの下面となりガイド溝底となる水平内面と平行となり、コイル１５が下向きとなるように、長手方向に挿入することで取り付けられる。
【００３４】
可動子である磁石２１は、短冊板状に形成され、一方の板面に、鉄などの磁性体からなり、磁石２１と同等の短冊板状に形成される取付板としてのヨーク板２０が磁力による吸着で取り付けられている。なお、ヨーク板２０は、磁石２１の幅長より幅広に形成されており、両側縁が磁石２１の両側縁よりも延出するよう構成される。また、磁石２１の材質としては、ネオジウムあるいはフェライトなどからなり、好ましくは磁束密度の大きいネオジウムからなる。このネオジウムを採用することで、磁石２１の体積を小さくでき、すなわち厚さ寸法を小さく設定できる。
【００３５】
そして、この磁石２１は、予めヨーク板２０に磁着され、ヨーク板２０を吊下部材１８の保持溝１９に長手方向から挿入し、吊下部材１８の水平面部より上方向に突出するように取り付けられる。
【００３６】
従って、吊下部材１８がガイドレール１３に挿入された状態では、品下部材１８の水平面部１８ａに取り付けられた磁石２１と、ガイドレール１３内のコイル１５とが所定のエアギャップを介して対向し、磁石２１の磁力によるコイル１５への吸着力が働いても、保持溝１９の開口縁部によりヨーク板２０が保持状態であり、互いが必要以上に近接あるいは吸着してしまうことがない。
【００３７】
また、保持溝１９は吊下部材１８の長さ方向に連続して形成されていることから、ヨーク板２０が撓むことなどがなく、磁石２１とコイル１５とのエアギャップを長手方向にわたって略均等なものとすることができる。
【００３８】
さらに、吊下部材１８の両端に、吊下部材１８の長手方向に沿う方向から螺着されたネジ２５により、ヨーク板２０の長手方向両端が係止され、吊下部材１８に対するヨーク板２０の長手方向のズレなどが規制されている。
【００３９】
ところで、本実施の形態による開閉体駆動装置１の構造では、ガイドレール１３は、上枠３内において、縦枠５ａとの間に図２に示す間隙３０を形成している。この間隙３０に電源アダプター３１が装着され、電源アダプター３１は、図３に示すように、上枠３の幅方向の略中央部に達する厚みを有し、上枠３の高さより小さい高さとなり、上枠３の長手方向に沿う方向の寸法が間隙３０と略同等となるように形成されている。
【００４０】
図２に示すように、吊下部材１８は、引戸７の戸先４ａから所定距離、戸尻４ｂ側に配設されている。このため、引戸７は、閉鎖された状態で、吊下部材１８が電源アダプター３１とは干渉しないようになっている。
【００４１】
図６は電源アダプター固定用クリップを表す斜視図である。
上枠３内の間隙３０部分に相当する内壁面３ａには、電源アダプター固定用クリップ（クリップ）３３が固着されている。クリップ３３は、上枠３内の内壁面３ａに固着される垂直片３３ａと、この垂直片３３ａの上下縁から水平に延出する上片３３ｂと、下片３３ｃとからなる。図３に示すように、上片３３ｂの突出先端には下向きの係止爪３３ｄが形成され、下片３３ｃの突出先端にはへ字状の押え片３３ｅが形成されている。クリップ３３は、例えばばね性を有する鋼板よりなる。従って、電源アダプター３１は、クリップ３３の係止爪３３ｄに上部が係止され、押え片３３ｅに下面が弾接されて、上枠３内に、着脱自在に取付けられている。
【００４２】
図７は制御ユニットの取付構造を表す分解斜視図である。
電源アダプター３１の近傍に取付けられる制御ユニット３２は、上枠３の長手方向に沿う方向に長尺の略直方体形状に形成されている。制御ユニット３２は、コイル１５に対して駆動電力を供給して磁力を発生させる。図４に示すように、制御ユニット３２は、上枠３内の内壁面３ａと吊下部材１８との間隔より小さい厚みを有し、ガイドレール１３の下端と引戸７の上端との間隔より小さい高さに形成されている。また、内枠１２には、制御ユニット３２の貫通する取付け用貫通穴３５が形成されている。制御ユニット３２は、上枠３内の内壁面３ａにビス３７等により螺着される。上枠３内の内壁面３ａに固定された制御ユニット３２は、取付け用貫通穴３５を貫通して、内枠１２と吊下部材１８との間の空間３９に突出して配置されるが、引戸７の開閉移動によっても、吊下部材１８と干渉することはない。
【００４３】
この開閉体駆動装置の構造は、先ず、開口部２に、内枠１２を取付ける。この上枠３の内部には、図７に示すように、予めガイドレール１３、吊下部材１８を組み入れた内枠１２を下方より挿入して固定する。吊下部材１８のガイドレール１３への組み入れは、ガイドレール１３の端部よりローラ１６を支持縁部１３ｂに転動可能に載せて挿入する。
【００４４】
次いで、予め上枠３内の内壁面３ａに固着したクリップ３３に、電源アダプター３１を装着する。また、制御ユニット３２は、吊下部材１８を、取付け用貫通穴３５に重ならない位置に移動してから、取付け用貫通穴３５に挿入した後、ビス３７により上枠３内の内壁面３ａに螺着する。
次いで、吊下部材１８の下端にブラケット２２を介して引戸７を固定する。
最後に、カバー１１を上枠３に取り付けて開閉体駆動装置１の組立て施工が完了する。
【００４５】
一方、電源アダプター３１や制御ユニット３２の交換の際には、上記の組立て手順と逆の手順により交換を行う。即ち、先ず、カバー１１を取り外す。電源アダプター３１は、この状態で上枠３の正面側に表出することとなり、クリップ３３から脱着することで、ワンタッチでの交換が可能となる。また、制御ユニット３２は、吊下部材１８が重なっている場合、引戸７を移動することで制御ユニット３２を表出させ、ビス３７の螺合を解除することにより、上枠３内の内壁面３ａから脱着して交換を行う。したがって、電源アダプター３１、制御ユニット３２共に、カバー１１を取り外すのみで交換が可能となり、引戸７を取り外したり、上枠３の上方の垂壁を壊したりすることなく、極めて容易なメンテナンスが可能となる。
【００４６】
上記の開閉体駆動装置の構造では、ガイドレール１３と、戸先４ａの当る縦枠５ａとの間に間隙３０が形成され、この間隙３０に電源アダプター３１が装着される。また、内枠１２に、取付け用貫通穴３５が形成され、ガイドレール１３の下端と引戸７の上端との間隔より小さい高さに形成した制御ユニット３２が、上枠３内の内壁面３ａに螺着して取付けられ、取付け用貫通穴３５を貫通して内枠１２と吊下部材１８との間の空間に突出して配置される。これにより、配設の不要となるガイドレール１３の端部を、電源アダプター３１の収容のための間隙３０として有効に利用するとともに、比較的部品の配設密度の低い内枠１２と吊下部材１８との間の空間３９を有効に利用し、上枠３内空間の効率的な利用が可能となる。この結果、開閉体駆動装置のコンパクト化が可能となる。そして、カバー１１を外すのみで、電源アダプター３１及び制御ユニット３２が表出するので、着脱が容易に行えるようになり、施工性、メンテナンス性も高まる。
【００４７】
さらに、上枠３内の内壁面３ａに、電源アダプター３１に弾接するクリップ３３が固着され、電源アダプター３１がこのクリップ３３によって脱着自在に保持されているので、工具やビス等の固定手段を使用せずにワンタッチで電源アダプター３１の着脱が可能となる。これにより、施工性、メンテナンス性をさらに高めることができる。
【００４８】
なお、上記実施の形態では、上枠３に設けられるカバー１１を脱着自在とされる例について述べたが、このカバー１１は、例えば回動やスライドなどにより開閉自在な構成としてもよく、また開閉自在な構成にカバー１１を開放状態で保持する支持構造などを備えた構成としてもよく、内部が表出可能で電源アダプター及び制御ユニットの取付施工やメンテナンスが容易にできるような構造であればその他の構造でも良い。
【００４９】
【発明の効果】
以上説明したように、本発明に係る請求項１記載の開閉体駆動装置の構造によれば、ガイドレールと、戸先の当る縦枠との間に間隙を形成し、この間隙に電源アダプターを装着し、内枠に、取付け用貫通穴を形成し、ガイドレールの下端と開閉体の上端との間隔より小さい高さに形成した制御ユニットを、取付け用貫通穴を貫通させて内枠と吊下部材との間の空間に突出して配置したので、上枠内の空間を効率的に利用して、電源アダプター及び制御ユニットを収容することができ、開閉体駆動装置をコンパクトに構成することができる。そして、カバーを外す或いは開けるのみで、電源アダプター及び制御ユニットが表出するので、着脱が容易に行えるようになり、施工性、メンテナンス性を高めることができる。
【００５０】
請求項２記載の開閉体駆動装置の構造によれば、上枠内の内壁面に、電源アダプターに弾接するクリップを固着し、電源アダプターをこのクリップによって脱着自在に保持したので、工具やビス等の固定手段を使用せずに電源アダプターの着脱が可能となり、施工性、メンテナンス性をさらに高めることができる。
【図面の簡単な説明】
【図１】本発明による開閉体駆動装置の構造を備えた引戸を表す概略斜視図である。
【図２】本発明による開閉体駆動装置の構造を表す正面図である。
【図３】図２のＡ部断面図である。
【図４】図２のＢ部断面図である。
【図５】図２のＣ部断面図を表す。
【図６】電源アダプター固定用クリップを表す斜視図である。
【図７】制御ユニットの取付構造を表す分解斜視図である。
【図８】従来の開閉装置要部の概略斜視図である。
【図９】図８の要部の拡大断面図である。
【符号の説明】
１…開閉体駆動装置
２…開口部
３…上枠
３ａ…上枠内の内壁面
４ａ…戸先
５ａ，５ｂ…縦枠
７…開閉体（引戸）
１１…カバー
１２…内枠
１３…ガイドレール
１５…コイル
１８…吊下部材
２１…磁石
３０…間隙
３１…電源アダプター
３２…制御ユニット
３３…クリップ
３５…取付け用貫通穴
３９…空間
【図１】
2004143767.tif 000003
【図２】
2004143767.tif 000004
【図３】
2004143767.tif 000005
【図４】
2004143767.tif 000006
【図５】
2004143767.tif 000007
【図６】
2004143767.tif 000008
【図７】
2004143767.tif 000009
【図８】
2004143767.tif 000010
【図９】
2004143767.tif 000011